(57)【要約】【課題】本発明は、検査時にサンプルの環境温度をサンプルの保存に適した環境温度、または授精に適した環境温度に近づけることで、サンプルの品質を更に正確に推定することのできる加熱機能を有する顕微鏡ユニットと顕微鏡装置を提供することを課題とする。【解決手段】顕微鏡ユニットは、外部画像キャプチャモジュール、または顕微鏡装置の画像キャプチャモジュールに合わせて使用することができる。顕微鏡ユニットは、本体と、光学アセンブリと、加熱素子とを備える。本体は、当該本体を貫通して設けられるトンネルとサンプル観察面を有し、サンプル観察面はトンネル内に位置する。光学アセンブリはトンネルの一端部に設置されると同時に、凸レンズを有し、サンプル観察面から凸レンズまでの最短距離は０．１ｍｍ〜３．０ｍｍの間である。加熱素子とサンプル観察面は対応して設置される。【選択図】図３
2017090917.tif 000002
【特許請求の範囲】
【請求項１】
画像キャプチャモジュールに合わせて使用する顕微鏡ユニットであって、
トンネルとサンプル観察面を有する本体と、
凸レンズを有し、前記トンネルの一端部に設置される光学アセンブリと、
前記サンプル観察面に対応して設置される加熱素子と、を備え、
前記サンプル観察面は前記トンネル内に位置し、
前記サンプル観察面から前記凸レンズまでの最短距離は０．１ｍｍ〜３．０ｍｍの間であり、
前記トンネルは前記本体を貫通して設けられることを特徴とする顕微鏡ユニット。
【請求項２】
前記加熱素子は前記光学アセンブリに設置されることを特徴とする請求項１に記載の顕微鏡ユニット。
【請求項３】
前記加熱素子は前記本体の前記トンネルの内壁、または前記トンネル内に設置されることを特徴とする請求項１に記載の顕微鏡ユニット。
【請求項４】
前記加熱素子は固定部材を介して、前記本体の内壁、または前記光学アセンブリに設置されることを特徴とする請求項１に記載の顕微鏡ユニット。
【請求項５】
前記加熱素子は前記凸レンズを覆うことを特徴とする請求項１に記載の顕微鏡ユニット。
【請求項６】
画像キャプチャモジュールと、
前記画像キャプチャモジュールに結合する顕微鏡ユニットと、を備え、
前記顕微鏡ユニットは、
トンネルとサンプル観察面を有する本体と、
凸レンズを有し、前記トンネルの一端部に設置される光学アセンブリと、
前記サンプル観察面に対応して設置される加熱素子と、を備え、
前記サンプル観察面は前記トンネル内に位置し、
前記サンプル観察面から前記凸レンズまでの最短距離は０．１ｍｍ〜３．０ｍｍの間であり、
前記トンネルは前記本体を貫通して設けられることを特徴とする顕微鏡装置。
【請求項７】
前記加熱素子は前記光学アセンブリに設置され、または前記本体の前記トンネルの内壁、または前記本体の前記トンネル内に設置されることを特徴とする請求項６に記載の顕微鏡装置。
【請求項８】
前記加熱素子は固定部材を介して、前記本体の内壁、または前記光学アセンブリに設置されることを特徴とする請求項６に記載の顕微鏡装置。
【請求項９】
前記加熱素子は、金属シート、または、金属及び／または金属酸化物塗層を有するガラスシートであり、
前記顕微鏡装置は、
前記本体の内壁、または前記金属及び／または金属酸化物塗層を有するガラスシートに設置される温度センサーを更に備えることを特徴とする請求項６に記載の顕微鏡装置。
【請求項１０】
前記顕微鏡ユニットは、電源に電気的に接続され、
前記顕微鏡装置は、
前記温度センサーと前記電源に接続し、前記温度センサーにより測定された温度に基づいて、前記電源の電流を調整する制御回路を更に備えることを特徴とする請求項９に記載の顕微鏡装置。
【発明の詳細な説明】
【技術分野】
【０００１】
本発明は、顕微鏡ユニット及び顕微鏡装置に関し、特に、サンプルを加熱できる顕微鏡ユニット及び顕微鏡装置に関するものである。
【背景技術】
【０００２】
人工授精（artificial insemination, ＡＩ）技術は、良好な遺伝子を効果的に利用することで、繁殖作業を簡素化し、病気の伝播を低減し、雄豚の管理コストを低減することができる。この技術は、これらの利点によって、養豚業界にとって、かけがえのない重要性を持つ。優秀な雄豚１頭の精液は複数の雌豚に対して授精することができ、その効率は、自然交配よりも数倍高いため、収集された精液を希釈することがある。多くの場合、国内の人工授精ステーションの精液希釈の生産プロセスは、３〜５日ごとに雄豚の精液を集め、且つ２段階に分けて精子の濃厚な部分のみを採集する。採集された精液量は約１２０〜１３０ミリリットルの間であり、総精子数は１５０億から１０００億の間である。通常、採集後の精液は、直ちに等温同量の希釈液と混合することで、精子を早めに希釈液の環境に「適応」させると同時に、精子に不安定な変化を引き起こす精液中の成分を低減することができる。混合精子が室温になるまでの間に、精液品質の基本的な検査を行うことができる。基本的な検査内容は、主に、精子濃度と精子の活力の２つである。精子の活力は位相差顕微鏡（phase-contrast microscope）によって観察することができ、通常、パーセンテージで精液サンプル内の全体の精子泳動能力を表し、採集した新鮮なオリジナル精液の活力は８０〜８５％、またはそれ以上でなければならない。検査条件を満たした混合精液は希釈液によって、最終的な倍数に希釈することができる。最終的な希釈精液の濃度は、８０ミリリットル内に１５億総精子（国際推奨標準レンジは１２億〜１３億である）を備える必要がある。
【０００３】
希釈した精液の保存時間を延長するためには、希釈した精液を、特に、１６℃（または１５〜１８℃）の環境に保存する必要がある。しかしながら、雄豚精子は周囲の環境温度に対して、非常に敏感であり、冷却した希釈精液はサンプルの精子の活力に多大な影響を及ぼす。または、仮に希釈精液収集ステーションにおいて、その場で検査を行っても、希釈精液サンプルは天候と試験装置自体の温度にも影響される。
【０００４】
したがって、加熱機能を有する検査装置を提供する必要があり、検査時にサンプルの環境温度がサンプルの保存に適し、または授精時の環境温度に近づけることで、サンプルの品質を更に正確に推定することができる。
【発明の概要】
【発明が解決しようとする課題】
【０００５】
上記の問題に鑑て、本発明の目的は、検査時にサンプルの環境温度をサンプルの保存に適する環境温度、または授精に適する環境温度に近づけることで、サンプルの品質を更に正確に推定することのできる加熱機能を有する顕微鏡ユニット及び顕微鏡装置を提供することを課題とする。
【課題を解決するための手段】
【０００６】
上記の目的を達するために、本発明が提供する顕微鏡ユニットは、請求項１に記載の如く、画像キャプチャモジュールに合わせて使用する顕微鏡ユニットであって、トンネルとサンプル観察面を有する本体と、凸レンズを有し、前記トンネルの一端部に設置される光学アセンブリと、前記サンプル観察面に対応して設置される加熱素子と、を備え、前記サンプル観察面は前記トンネル内に位置し、前記サンプル観察面から前記凸レンズまでの最短距離は０．１ｍｍ〜３．０ｍｍの間であり、前記トンネルは前記本体を貫通して設けられることを特徴とする。これを分節して説明すれば、本発明は画像キャプチャモジュールに合わせて使用する顕微鏡ユニットを提供し、顕微鏡ユニットは、本体と、光学アセンブリと、加熱素子とを備える。本体は、当該本体を貫通して設けられるトンネルとサンプル観察面を有し、サンプル観察面はトンネル内に位置する。光学アセンブリはトンネルの一端部に設置されると同時に、凸レンズを有し、サンプル観察面から凸レンズまでの最短距離は０．１ｍｍ〜３．０ｍｍの間である。加熱素子とサンプル観察面は対応して設置される。
【０００７】
上記の目的を達するために、本発明は前記顕微鏡ユニットを備えた顕微鏡装置を提供する。即ち、本発明に係る顕微鏡装置は、請求項６に記載の如く、画像キャプチャモジュールと、前記画像キャプチャモジュールに結合する顕微鏡ユニットと、を備え、前記顕微鏡ユニットは、トンネルとサンプル観察面を有する本体と、凸レンズを有し、前記トンネルの一端部に設置される光学アセンブリと、前記サンプル観察面に対応して設置される加熱素子と、を備え、前記サンプル観察面は前記トンネル内に位置し、前記サンプル観察面から前記凸レンズまでの最短距離は０．１ｍｍ〜３．０ｍｍの間であり、前記トンネルは前記本体を貫通して設けられることを特徴とする。これを分節して説明すれば、本発明に係る顕微鏡装置は、画像キャプチャモジュールと顕微鏡ユニットを備える。顕微鏡ユニットは画像キャプチャモジュールに合わせて使用する。顕微鏡ユニットは、本体と、光学アセンブリと、加熱素子とを備える。本体は、当該本体を貫通して設けられるトンネルとサンプル観察面を有し、サンプル観察面はトンネル内に位置する。光学アセンブリはトンネルの一端部に設置されると同時に、凸レンズを有し、サンプル観察面から凸レンズまでの最短距離は０．１ｍｍ〜３．０ｍｍの間である。加熱素子とサンプル観察面は対応して設置される。
【０００８】
一実施例においては、請求項２に記載の如く、加熱素子は光学アセンブリに設置されることを特徴とする。
【０００９】
一実施例においては、請求項３に記載の如く、加熱素子は本体のトンネルの内壁、または前記トンネル内に設置されることを特徴とする。
【００１０】
一実施例においては、請求項４及び請求項８に記載の如く、加熱素子は固定部材を介して、本体の内壁、または前記光学アセンブリに設置されることを特徴とする。また、一実施例においては、請求項７に記載の如く、前記加熱素子は前記光学アセンブリに設置され、または前記本体の前記トンネルの内壁、または前記本体の前記トンネル内に設置されることを特徴とする。更にまた、一実施例においては、請求項５に記載の如く、前記加熱素子は前記凸レンズを覆うことを特徴とする。
【００１１】
一実施例において、顕微鏡ユニットは、内蔵の電源を有するか、または外部電源に接続されることを特徴とする。
【００１２】
一実施例において、加熱素子は、電熱シート、電熱リング、電熱コイル、または電熱フィルムであることを特徴とする。
【００１３】
一実施例において、加熱素子は、電熱シートであり、電熱シートは金属シートであり、または、金属及び／または金属酸化物塗層を有するガラスシートであることを特徴とする。
【００１４】
一実施例において、画像キャプチャモジュールは携帯電子装置の画像キャプチャモジュールであることを特徴とする。
【００１５】
一実施例において、顕微鏡装置は、本体の内壁に設置される温度センサーを更に備えることを特徴とする。
【００１６】
一実施例においては、請求項９に記載の如く、前記加熱素子は、金属シート、または、金属及び／または金属酸化物塗層を有するガラスシートであり、前記顕微鏡装置は、前記本体の内壁、または前記金属及び／または金属酸化物塗層を有するガラスシートに設置される温度センサーを更に備えることを特徴とする。
【００１７】
一実施例においては、請求項１０に記載の如く、前記顕微鏡ユニットは、電源に電気的に接続され、前記顕微鏡装置は、前記温度センサーと前記電源に接続され、前記温度センサーにより測定された温度に基づいて、前記電源の電流を調整する制御回路を更に備えることを特徴とする請求項９に記載の顕微鏡装置。即ち、一実施例においては、顕微鏡ユニットは、電源に電気的に接続され、顕微鏡装置は、制御回路と温度センサーを更に備える。温度センサーは本体の内壁に設置され、制御回路は温度センサーと電源に接続されると同時に、前記温度センサーにより測定された温度に基づいて、電源の電流を調整することを特徴とする。
【００１８】
一実施例において、本発明に係る顕微鏡装置の画像キャプチャモジュールは携帯電子装置の画像キャプチャモジュールであることを特徴とする。
【発明の効果】
【００１９】
上記より、本発明の顕微鏡ユニット及び顕微鏡装置は、加熱素子によって、サンプルに対して熱エネルギーを提供することで、サンプルの環境温度をサンプル保存に適する環境温度、もしくはサンプル活動に適する環境温度に近づけ、または、サンプルが反応する環境温度をユーザの設定する温度に近づけることができる。
【図面の簡単な説明】
【００２０】
【図１】本発明の一実施例に係る顕微鏡ユニットの外観概略図である。
【図２】図１に示される顕微鏡ユニットの分解図である。
【図３】図１に示される顕微鏡ユニットのＡ−Ａ線に沿った断面図である。
【図４】本発明のもう１つの実施例に係る顕微鏡ユニットの図１のＡ−Ａ線に対応する線に沿った立体断面図である。
【図５】本発明の更なる一実施例に係る顕微鏡ユニットの図１のＡ−Ａ線に対応する線に沿った立体断面図である。
【図６】本発明の更なる一実施例に係る顕微鏡ユニットの図１のＡ−Ａ線に対応する線に沿った立体断面図である。
【図７】本発明の更なる一実施例に係る顕微鏡ユニットの図１のＡ−Ａ線に対応する線に沿った立体断面図である。
【図８】本発明に係る顕微鏡ユニットが外部電源に接続された実施例の立体図である。
【図９】本発明に係る顕微鏡装置の一実施例の立体図である。
【発明を実施するための形態】
【００２１】
関連する図面を参照しながら、本発明の好ましい実施例に係る顕微鏡ユニットと顕微鏡装置を以下の通りに説明し、このうち同じ部材は同じ符号を付して説明する。
【実施例１】
【００２２】
図１は本発明の一実施例に係る顕微鏡ユニットの外観概略図である。図２は図１に示される顕微鏡ユニットの分解図である。図３は図１に示される顕微鏡ユニットのＡ−Ａ線に沿った断面図であり、且つサンプリングアセンブリと光源ユニットは顕微鏡ユニットと一緒に設けられている。図１から図３を参照されたい。顕微鏡ユニット１０は画像キャプチャモジュールに合わせて使用する。画像キャプチャモジュールは携帯電子装置の画像キャプチャモジュールであり、携帯電子装置は携帯電話、タブレット、カメラ、ビデオカメラ、ドライブレコーダーなどである。画像キャプチャモジュールは図９を参照されたい。顕微鏡ユニット１０は、画像キャプチャモジュール２０に合わせて使用することで、サンプル、特に生物サンプルを観察するために使用することができる。生物サンプルは、例えば、組織切片、血液、精液、細胞培養液、または組織液などである。
【００２３】
顕微鏡ユニット１０は本体１１と、光学アセンブリ１２と、加熱素子１３を備える。本体１１は、前記本体を貫通して設けられるトンネル（tunnel：本体１１を貫通するように形成された内部空間を指す。本願の記載において同様。）１１１とサンプル観察面Ｌを有する。本体１１の材料は、金属、合金またはプラスチックである。サンプル観察面Ｌは光学アセンブリ１２の焦点合致領域であり、つまり、サンプル設置の位置である。よって、サンプル観察面Ｌに置かれたサンプルに対してフォーカスを合わせ易く、ユーザーは拡大したサンプル画像を明確に見ることができる。
【００２４】
光学アセンブリ１２はトンネル１１１の一端に設置される。光学アセンブリ１２は凸レンズ１２１とバレル（barrel）１２２を備える。バレル１２２の外壁は溝部Ｓを有し、内部には収容室を有し、凸レンズ１２１はバレル１２２の収容室内に設置される。バレル１２２の上方にねじ構造を設けることで、顕微鏡ユニット１０は画像キャプチャモジュール２０と螺合、ねじ止めすることができるようになる。
【００２５】
サンプル観察面Ｌはトンネル１１１内に位置しており、凸レンズ１２１の焦点距離が非常に短いため、サンプル観察面Ｌから凸レンズ１２１の外表面までの最短距離ｄは０．１ｍｍから３．０ｍｍの間である。本体１１において、光学アセンブリ１２を設けた一端部に対向する他端部の内周面にはねじ構造が設置され、このねじ構造は光源ユニット３０と螺合するために用いられる。光源ユニット３０より射出される光線をサンプル観察面Ｌに照射することで、サンプルに対してバックライト光源を提供する。詳細な説明は後に述べる。
【００２６】
光源ユニット３０は、基体３４と、光源３１と、バッテリー３３と、導光素子３２及びベース３５を備える。ベース３５はフランジを有し、フランジにはねじ構造を設けることで、顕微鏡ユニット１０と光源ユニット３０を螺合、ねじ止めする。バッテリー３３は光源ユニット３０の基体３４に設置されると同時に、光源３１はスイッチ（図では省略）を介して、バッテリー３３に電気的に接続される。導光素子３２はカップ状の構造であり、光源３１上に裏返すようにして被せる。
【００２７】
サンプリングアセンブリ４０はサンプル採取部材４１とサンプル定量部材４２を備える。サンプル採取部材４１はカップ状の構造であり、導光素子３２を覆うように被せられる。サンプル定量部材４２もカップ状の構造であり、サンプル採取部材４１でサンプルＩを採取した後、そのサンプル採取部材４１をサンプル定量部材４２で覆うように被せることで、サンプル採取部材４１とサンプル定量部材４２との間に形成される定量収納空間内にサンプルＩを収容する。
【００２８】
光源３１は、サンプルＩに対してバックライト光源を提供する。光源３１より発する光線は導光素子３２によって、サンプルＩに収束して照射されると同時に、サンプルＩが光線を乱反射して透過させた後、凸レンズ１２１に入射して結像し、最後に、画像キャプチャモジュール２０（図９参照）は、前記凸レンズ１２１によって結像された画像をデジタル映像として記録する。
【００２９】
注意すべきことは、加熱素子１３は電熱シート、電熱リング、電熱コイル、または電熱フィルム等である。加熱素子１３の材料はセラミック、またはタングステン、アルミニウム、銅の任意の割合からなる合金、またはインジウムスズ酸化物（ＩＴＯ）などの透明導電性材料である。加熱素子１３は、サンプル観察面Ｌに対応して配置される。
【００３０】
説明のため、本実施例において、加熱素子１３は、電熱コイルを例とする。図３を参照されたい。加熱素子１３を、観察すべきサンプルＩに接近させるために、加熱素子１３は、溝部Ｓ（図２）に巻付けて設置されることで、観察すべきサンプルＩに対して加温することができる。上記設置方法はあくまでも代表例としての説明であり、本発明を制限するものではない。加熱素子１３は、接着、または磁気吸引によって、直接溝部Ｓに固定設置することができる。もう１つの実施例において、加熱素子１３は、更に設けられた固定部材によって、溝部Ｓに間接的に固定設置することができる。この固定部材は、例えば、接着剤、テープ、ひも、フランジ、スナップ、または磁石である。
【実施例２】
【００３１】
更に、図４を参照されたい。図４は本発明のもう１つの実施例に係る顕微鏡ユニット１０ａの図１のＡ−Ａ線と同様の線に沿った立体断面図である。顕微鏡ユニット１０ａの構造は、大部分が上記実施例１の顕微鏡ユニット１０と類似しているが、唯一の違いは、本実施例において、加熱素子１３ａは電熱シートであり、光学アセンブリ１２のバレル１２２の真下に設置されている点にある。よって、加熱素子１３ａはサンプルに近づき、サンプルに対して、より好ましい加熱効果を及ぼすことができる。本実施例において、電熱シートは、金属または酸化インジウムスズ（ＩＴＯ）等の導電性透明金属酸化物をガラスシートにコーティングして構成される電熱フィルムである。しかしながら、別の実施例では、電熱シートは金属シートであり、その材料はタングステン、アルミニウム、または銅である。
【実施例３】
【００３２】
図５を参照されたい。図５は本発明の更なる一実施例に係る顕微鏡ユニットの図１のＡ−Ａ線と同様の線に沿った立体断面図である。顕微鏡ユニット１０ｂの構造は、大部分が前記実施例１の顕微鏡ユニット１０と類似しているが、唯一の違いは、本実施例において、図５に示すように、加熱素子１３ｂはサンプル観察面Ｌに対応すると同時に、本体１１の内壁のサンプル観察面Ｌに近い所に設置されている点にある。説明のため、本実施例において、加熱素子１３ｂは電熱リングを例とする。加熱素子１３ｂは本体１１の内壁に直接嵌めこまれるが、上記設置方法はあくまでも代表例としての説明であり、本発明を制限するものではない。加熱素子１３ｂは、接着、または磁気吸引によって、直接本体１１の内壁に固定設置される。もう１つの実施例において、加熱素子１３ｂは、更に設けられた固定部材によって、本体１１の内壁に間接的に固定設置される。この固定部材は、例えば、接着剤、テープ、ひも、フランジ、スナップ、または磁石である。
【実施例４】
【００３３】
図６は本発明の更なる一実施例に係る顕微鏡ユニットの図１のＡ−Ａ線と同様の線に沿った立体断面図である。図６を参照されたい。顕微鏡ユニット１０ｃの構造は、大部分が前記実施例１の顕微鏡ユニット１０と類似しているが、唯一の違いは、本実施例において、加熱素子１３ｃは、光学アセンブリ１２のバレル１２２自体であり、つまり、バレル１２２の材料は、セラミック、またはタングステン、アルミニウム、銅の任意の割合からなる合金であり、且つバレル１２２は通電によって、サンプルに対して加熱を行う。
【００３４】
注意すべきことは、本発明の趣旨は、観察すべきサンプルに温度制御のメカニズムを提供することであり、サンプルを観察する時の環境温度を授精する時の環境温度に接近させ、より正確に精液サンプルの受精能力を推定することができるようにすることである。よって、本分野において通常知識を有するものが本発明の精神から逸脱することなく、加熱素子の固定方式について行う変更実施例は、いずれも本発明の範囲に含まれる。
【実施例５】
【００３５】
図７は本発明の更なる一実施例に係る顕微鏡ユニットの図１のＡ−Ａ線と同様の線に沿った立体断面図である。図８は本発明に係る顕微鏡ユニットが外部電源に接続する実施例の立体図である。図７及び図８を同時に参照されたい。図７に示すように、顕微鏡ユニット１０ｄの構造は、大部分が図６の顕微鏡ユニット１０ｃと類似しているが、唯一の違いは、顕微鏡ユニット１０ｄは、温度センサー１４と制御回路１５を更に備える点にある。温度センサー１４は、制御回路１５に電気的に接続し、制御回路１５は、電源Ｐ（図８参照）に電気的に接続し、電源Ｐは変圧器ＡとＵＳＢコネクタＣによって、加熱素子１３ｃに電気的に接続する。電源Ｐが加熱素子１３ｃに電流を提供することで、加熱素子１３ｃが熱エネルギーを発生することができる。温度センサー１４は本体１１のトンネル１１１内の温度を測定するためのものであり、且つ本体１１のトンネル１１１内の温度値を制御回路１５に転送する。よって、制御回路１５は温度センサー１４より測定した温度に基づいて、電源Ｐが供給する電流を調整することで、温度制御機能を実現することができる。注意すべきことは、本実施例において、電源ＰはＵＳＢコネクタＣを通じて顕微鏡ユニット１０ｄに電流を供給する外部電源であるが、本発明はこれに限定されるものではない。前記光源ユニット３０（図３）のバッテリー３３によって、加熱素子１３ｃに対して電流を提供することもできる。
【００３６】
また、本実施例において、温度センサー１４と制御回路１５は、本体１１のトンネル１１１内に設置される。しかしながら、もう１つの実施例において、制御回路１５は、本体１１の外部に独立して設けることができ、例えば、変圧器Ａ、ＵＳＢコネクタＣ、またはＵＳＢコネクタＣと顕微鏡ユニット１０ｄとの間に介在するアダプター（図示しない）に統合することもできる。更なる実施例において、本体１１は中空バレルであり、制御回路１５は、この中空バレル内に設置される。本発明の技術分野において、通常の知識を有するものが本発明の精神から逸脱しない範囲で変更を加えた技術であれば、本発明の範囲に含まれるものである。
【００３７】
また、温度センサー１４と制御回路１５は、顕微鏡ユニット１０、１０ａ、１０ｂ、１０ｃ内に統合することができる。当業者は上記説明を確認した後、上記説明に基づいて、顕微鏡ユニット１０、１０ａ、１０ｂ、１０ｃなどの態様に対して設計変更をし、温度センサー１４と制御回路１５を合わせて使用するよう構成することができる。例えば、温度センサー１４は顕微鏡ユニット１０ａの加熱素子１３ａのＩＴＯガラス上に配置することができる。説明を簡潔にするために、温度センサー１４と制御回路１５を顕微鏡ユニット１０、１０ａ、１０ｂ、１０ｃに統合する変化態様については、ここで繰り返して述べない。
【実施例６】
【００３８】
図９は本発明に係る顕微鏡装置の一実施例の立体図である。図９を参照されたい。図９において、顕微鏡装置１は顕微鏡ユニット１０と画像キャプチャモジュール２０を備える。顕微鏡ユニット１０は顕微鏡ユニット１０ａ、１０ｂ、１０ｃ、または１０ｄの何れか１つの変化態様と代替することができ、その詳細作動原理と接続構造は上記の説明を参照することができるため、ここで繰り返して述べない。当業者は上記説明を確認した後、顕微鏡ユニット１０ａ、１０ｂ、１０ｃなどの態様に基づいて、顕微鏡装置１に対して、設計変更をすることができる。画像キャプチャモジュール２０は携帯電子装置の画像キャプチャモジュールである。本実施例において、携帯電子装置は携帯電話であることができるが、本発明はこれに限定されない。携帯電子装置は、例えばタブレット、カメラ、ビデオカメラ、またはドライブレコーダーであることもできる。
【００３９】
また、前記加熱素子１３等より発生される熱エネルギーを本体１１のトンネル１１１内に均等に伝達するために、本発明の顕微鏡ユニット１０等に、加熱補助素子を更に備えることが可能である。加熱補助素子は、熱伝導しやすい材料、例えば、銀、銅、またはそれらの合金などで構成される。例えば、加熱補助素子は本体１１のトンネル１１１内に設置する金属スリーブであり、加熱素子１３は加熱補助素子の外壁に巻付き、または覆うように設けられる。つまり、加熱素子１３はトンネル１１１内に位置し、更に明確に言うと、加熱補助素子の外壁と本体１１のトンネル１１１の内壁との間に位置する。加熱補助素子は加熱素子１３に接続され、加熱補助素子が加熱素子１３から発生する熱エネルギーを受け取った後、受け取った熱エネルギーをトンネル１１１の全体に均一に伝導する。注意すべきことは、加熱補助素子は顕微鏡ユニット１０ａ、１０ｂ、１０ｃに応用することができるが、本発明はこれに限定されない。もう１つの実施例において、本体１１は中空バレルであり、制御回路１５は、この中空バレル内に設置される。
【００４０】
上記実施例は例示的なものであって、本発明を限定するためのものではない。本発明の技術的思想および範囲から逸脱することなく行われる等価の修正または変更は、いずれも別紙の特許請求の範囲に含まれる。
【産業上の利用可能性】
【００４１】
本発明は以上の如く構成したため、検査時にサンプルの環境温度をサンプル保存に適する環境温度、または授精に適する環境温度に近づけることで、サンプルの品質を更に正確に推定することのできる加熱機能を有する顕微鏡ユニット及び顕微鏡装置を提供し得るものである。
【符号の説明】
【００４２】
１      顕微鏡装置
１０、１０ａ、１０ｂ、１０ｃ、１０ｄ  顕微鏡ユニット
２０    画像キャプチャモジュール
１１    本体
１１１  トンネル
１２    光学アセンブリ
１２１  凸レンズ
１２２  バレル
１３、１３ａ、１３ｂ、１３ｃ  加熱素子
１４    温度センサー
１５    制御回路
３０    光源ユニット
３１    光源
３２    導光素子
３３    バッテリー
３４    基体
３５    ベース
４０    サンプリングアセンブリ
４１    サンプル採取部材
４２    サンプル定量部材
Ｌ      サンプル観察面
Ｓ      溝部
Ｉ      サンプル
Ａ      変圧器
Ｃ      ＵＳＢコネクタ
Ｐ      電源
ｄ      最短距離
【図１】
2017090917.tif 000003
【図２】
2017090917.tif 000004
【図３】
2017090917.tif 000005
【図４】
2017090917.tif 000006
【図５】
2017090917.tif 000007
【図６】
2017090917.tif 000008
【図７】
2017090917.tif 000009
【図８】
2017090917.tif 000010
【図９】
2017090917.tif 000011